(57)【要約】      （修正有）【課題】トリガーを引くたびに作動するカートリッジの作動距離を大きくし、更に、エネルギー源である圧縮ガスが漏出するのを防ぎエネルギー効率の向上を図る玩具銃を提供する。【解決手段】トリガー１と、弾丸を装填されるカートリッジ装弾部１２２を連続して設けられ、トリガー１前方に設置されるカートリッジ１２１と、トリガー１後方からカートリッジ設置位置とは反対側に一旦引き回して、その後反転させて先端をトリガー１よりも前方にまで至らせるリンク機構（トリガー後端部１４、リンクＡ２、リンクＢ３、ロッド４、アーム５）と、トリガー１の作動に伴い、リンク機構を介して作動され、カートリッジ１２１を移動させるネイル６と、トリガー１の作動にともない、カートリッジ１２１方向に移動し、気体をカートリッジ装弾部１２２に放出する気体放出手段（放出バルブ８２）と、カートリッジ装弾部１２２との間に設けられた筒状のカバー９を備える玩具銃。【選択図】図１
2016161225.tif 000002
【特許請求の範囲】
【請求項１】
トリガーと、
弾丸を装填されるカートリッジ装弾部を連続して設けられ、トリガー前方又は後方に設置されるカートリッジと、
トリガーからカートリッジ設置位置とは反対側に一旦引き回して、その後反転させて先端をカートリッジにまで至らせるリンク機構と、
トリガーの作動に伴い、リンク機構を介して作動され、カートリッジを移動させるネイルと、
を備える玩具銃。
【請求項２】
トリガーと、
弾丸を装填されるカートリッジ装弾部を連続して設けられ、トリガー前方に設置されるカートリッジと、
トリガー後方からカートリッジ設置位置とは反対側に一旦引き回して、その後反転させて先端をトリガーよりも前方にまで至らせるリンク機構と、
トリガーの作動に伴い、リンク機構を介して作動され、カートリッジを移動させるネイルと、
を備える玩具銃。
【請求項３】
トリガーの作動にともない、カートリッジ方向に移動し、気体をカートリッジ装弾部に放出する気体放出手段と、
カートリッジ装弾部との間に設けられた筒状のカバーとを備える、
請求項１又は２のいずれかに記載の玩具銃。
【発明の詳細な説明】
【技術分野】
【０００１】
本発明は、玩具銃に係る。詳細には、玩具銃用カートリッジの回動機構に係る。更に、詳細には、ＢＢ弾等の弾丸を装填されるカートリッジが取り付けられた玩具銃において、弾丸発射にともないカートリッジを回動させる玩具銃用カートリッジの回動機構に係る。
【背景技術】
【０００２】
従来の玩具銃にＢＢ弾等の弾丸を供給する玩具銃の給弾機構としては、例えば、出願人所有特許権に係る特許文献１図に図示されるものが知られている（特許文献１  米国特許第７，６６９，５８８号）。特許文献１図１３には、ネイル４、および弾丸が６個収納される円筒状の回転クリップＣが図示されている。特許文献１では、トリガー８を一度引くたびに、トリガー８と回転クリップＣとの間に、トリガー８に近接させて設けたアーム１に直接連結されるネイル４により、回転クリップＣは弾丸１発分約２ｍｍ回転される。
【先行技術文献】
【特許文献】
【０００３】
【特許文献１】米国特許第７，６６９，５８８号公報
【発明の概要】
【発明が解決しようとする課題】
【０００４】
特許文献１（米国特許第７，６６９，５８８号公報）記載発明では、トリガー８を一度引くたびに、ネイル４により、回転クリップＣは弾丸１発分約２ｍｍ回転させるには適する。しかし、ネイル４は、トリガー８と回転クリップＣとの間にトリガー８に近接して設けられるアーム１により作動されるため、作動可能距離が小さい。マガジン内のカートリッジの作動距離が２ｍｍよりも長くなる場合、例えば８ｍｍ等の場合は、弾丸１発分の作動をさせることは困難であった。
【０００５】
本発明の目的は、トリガーを一度引くたびに作動するカートリッジの作動距離を大きくすることにある。更に、エネルギー源である圧縮ガスが隙間から漏出するのを防ぎ、エネルギー効率の向上を図ることにある。
【課題を解決するための手段】
【０００６】
本発明の玩具銃は、
トリガーと、
弾丸を装填されるカートリッジ装弾部を連続して設けられ、トリガー前方又は後方に設置されるカートリッジと、
トリガーからカートリッジ設置位置とは反対側に一旦引き回して、その後反転させて先端をカートリッジにまで至らせるリンク機構と、
トリガーの作動に伴い、リンク機構を介して作動され、カートリッジを移動させるネイルと、
を備える。
【０００７】
本発明の玩具銃は、
トリガーと、
弾丸を装填されるカートリッジ装弾部を連続して設けられ、トリガー前方に設置されるカートリッジと、
トリガー後方からカートリッジ設置位置とは反対側に一旦引き回して、その後反転させて先端をトリガーよりも前方にまで至らせるリンク機構と、
トリガーの作動に伴い、リンク機構を介して作動され、カートリッジを移動させるネイルと、
を備える。
【０００８】
あるいは、更に、本発明の玩具銃は、
トリガーの作動にともない、カートリッジ方向に移動し、気体をカートリッジ装弾部に放出する気体放出手段と、
カートリッジ装弾部との間に設けられた筒状のカバーと、
を備える。
【発明の効果】
【０００９】
本発明によれば、トリガーを一度引くたびに作動するカートリッジの作動距離を大きくすることが可能となる。更に、エネルギー源である圧縮ガスが隙間から漏出するのを防ぎ、エネルギー効率の向上を図る。
【図面の簡単な説明】
【００１０】
【図１】この発明の実施の形態に係る実施例に係る玩具銃である初期状態の正面断面図である。
【図２】この発明の実施の形態に係る実施例に係る玩具銃であるネイルが動き始めた状態をあらわす正面断面図である。
【図３】この発明の実施の形態に係る実施例であるカートリッジを動かし始める瞬間の状態をあらわす正面断面図である。
【図４】この発明の実施の形態に係る実施例に係る玩具銃のカートリッジを動かしている途中をあらわす正面断面図である。
【図５】この発明の実施の形態に係る実施例に係る玩具銃のカバーを動かし始める瞬間をあらわす正面断面図である。
【図６】この発明の実施の形態に係る実施例に係る玩具銃のカバーを動かし始める瞬間をあらわす背面断面図である。
【図７】この発明の実施の形態に係る実施例に係る玩具銃のカートリッジとカバーの移動が終了した状態の正面断面図である。
【図８】この発明の実施の形態に係る実施例に係る玩具銃のカートリッジとカバーの移動が終了した状態の背面断面図である。
【図９】この発明の実施の形態に係る実施例に係る玩具銃のシアーを動かしている途中の状態をあらわす正面断面図である。
【図１０】この発明の実施の形態に係る実施例に係る玩具銃のシアーとボルトの当接が解けた瞬間の状態をあらわす正面断面図である。
【図１１】この発明の実施の形態に係る実施例に係る玩具銃のカートリッジの正面図である。
【図１２】この発明の実施の形態に係る実施例に係る玩具銃のカートリッジを収納したマガジンボディの正面図である。
【図１３】この発明の実施の形態に係る実施例に係る玩具銃のカートリッジを収納したマガジンボディの正面中央断面図である。
【図１４】この発明の実施の形態に係る実施例に係る玩具銃のカバーの正面斜視図である。
【図１５】この発明の実施の形態に係る実施例に係る玩具銃のカバーの背面斜視図である。
【発明を実施するための形態】
【００１１】
この発明の実施の一形態に係る実施例を、この発明の実施例を図示する図面に基づいて
説明する。
図１以下において、１０１は玩具銃本体、１０２は銃口、１１１はマガジンボディ、１は玩具銃本体１０１に取り付けられるトリガーである。
マガジンボディ１１１は、玩具銃本体１０１のトリガー１より図中左側である前方即ち銃口１０２側に差し込まれる。１２１はカートリッジである。カートリッジ１２１は、図１３に図示されるようにマガジンボディ１１１に収納される。
カートリッジ１２１は、玩具銃の種類によって、トリガー１の前方又は後方に装着する。この実施例では、カートリッジ１２１は、トリガー１の前方に設けてある。
【００１２】
カートリッジ１２１は、同一形状の円筒状からなる装弾部１２２が複数連続して連結され、始端と終端とは連結されるエンドレス状、あるいは、始端と終端とは連結されない連続状からなる。装弾部１２２内には弾丸が装弾される。カートリッジ１２１が収納されたマガジンボディ１１１が玩具銃本体１０１に装填された状態では、銃口１０２側からみると、図１１、図１３に図示されるように、カートリッジ１２１は無端状の円環状あるいは、始端と終端とは連結されない連続状を構成する。装弾部１２２の側面は、装弾部１２２毎に玩具銃１０１本体側面側に突起するカートリッジ突起１２３が設けられる。
【００１３】
トリガー１は、トリガースプリング（図示せず）により、図中時計回りに付勢されている。トリガー１は、トリガー軸１１を中心として図中反時計回りに回動可能である。
１４はトリガー後端部、１２はトリガー上方突起である。トリガー後端部１４は、トリガー１の後部に突設される。トリガー１は、トリガー後端部１４において、リンクＡ２と連結する。また、トリガー１は、トリガー１上方に設けられたトリガー上方突起１２に連結されたトリガーバーリンク１３と連結する。１５は、トリガー突起である。トリガー突起１５はトリガー後端部１４の後端に設けられ、図１中奥側であるリンクＡ２方向に突設される。
【００１４】
１６は、トリガーバーである。トリガーバー１６は、全体として逆Ｔ字状からなる。１７はトリガーバー軸１７である。トリガーバー軸１７は、トリガーバー１６とトリガーリンク１３と連結する連結軸である。トリガーバー１６は、後端でトリガーバー軸１７によりトリガーリンク１３に連結され、トリガーバー軸１７を回動中心として回動可能である。
【００１５】
２は、リンクＡである。リンクＡ２は、リンクＡ軸２１を回動中心として回動可能である。リンクＡ２は、トリガースプリングにより図１図中左手である前方に付勢される。リンクＡ２の中央部には、略長円形で上方に行くに従いやや前方に傾く開口部からなるガイド２２が設けられる。ガイド２２には、トリガー後端部１４後端に設けられるトリガー突起１５が嵌合されリンクＡ２とトリガー後端部１４とは連結される。
２３は、リンクＡ突起である。リンクＡ突起２３は、リンクＡ２の上方先端部に、図中奥側であるリンクＢ方向に突設される。
【００１６】
３は、リンクＢである。リンクＢ３は、リンクＢ軸３１を回動中心として回動可能である。
３２は開口部である。開口部３２は、リンクＢ３の下方に設けられる。開口部３２には、リンクＡ２に設けられたリンクＡ突起２３が嵌入して、リンクＡ２とリンクＢ３とは連結される。
３３は、リンクＢ３の上方先端に設けられる上方先端部である。
【００１７】
４は、ロッドである。ロッド４は全体として棒状からなり、先端は二股に分かれ、上側のロッド先端Ａ４１と下側のロッド先端Ｂ４２とからなる。ロッド先端Ａ４１はロッドＢ４２の上部に平行に短く設けられ周囲にロッドスプリング４３が取り付けられる。ロッドスプリング４３は、ロッド４全体を図中後方に付勢させ、トリガー１を引いて戻したとき、ロッド４を含めリンクＢ３、ネイルアーム５を元の位置に戻す作用をさせる。トリガースプリングの作用が大きいときは、ロッドスプリング４３は必ずしも必要ではない。
【００１８】
ロッド先端Ｂ４２は、ロッド先端Ａ４２よりも更に先に延び、先端に銃口側１０２即ち前方側に行くに従い上方となる斜めに設けられた長円形のガイド４４が設けられる。
４５は、連結孔である。連結孔４５は、ロッド４の後端に、下方に開口する孔状に設けられる。連結孔４５には、リンクＢ３に設けられた上方先端部３３が嵌入され、リンクＢ３とロッド４とは連結される。
【００１９】
５はアームである。アーム５は、ロッド４の前方に取り付けられる。５１は、アーム軸である。アーム５は、アーム軸５１の移動に伴い移動可能である。アーム軸５１は、ロッド先端Ｂ４２に設けられたガイド４４に挿入され、ロッド４とアーム５とは連結される。５２は、アーム取り付け軸である。アーム取り付け軸５２は、アーム５前端を玩具銃本体１０１にアーム取り付け軸５２を回動中心として回動自在に取り付ける。
そのため、ロッド４が銃口側即ち前方に移動すると、アーム軸５１はガイド４４に案内されて下方に移動され、アーム５は、アーム取り付け軸５２を回動中心として回転する。そのため、アーム５の後端側は下に下がる。逆に、トリガースプリングあるいはロッドスプリング４３の付勢力により、ロッド４が後方に移動すると、アーム軸５１はガイド４４に案内されて上方に移動する。
【００２０】
６はネイルである。ネイル６は、略上下方向に設けられ、下方にカートリッジ１２１    のカートリッジ突起１２３と当接するカートリッジ当接部６１が設けられる。カートリッジ当接部６１は、上下２個の当接部である、上段のカートリッジ当接部６１Ａと下段のカートリッジ当接部６１Ｂと、カートリッジ当接部６１Ａとカートリッジ当接部６１Ｂとの間に凹状に形成される嵌合部６２とからなる。嵌合部６２の幅は、カートリッジ突起１２３の縦方向の幅に合わせる。
他方、図６、図８に図示されるようにアーム５の後端部にネイル６の上方先端部の設けられるネイル回転軸６３でネイル６とアーム５は連結される。
そのため、カートリッジ１２１のカートリッジ突起１２３と、ネイル６の上段のカートリッジ当接部６１Ａと下段のカートリッジ当接部６１Ｂとが当接し嵌合部６２でカートリッジ突起１２３を嵌合している間、ネイル６の下降に従い、カートリッジ１２１を下降させる。
【００２１】
７は、シアーである。シアー７は、トリガーバー１６の前方に、シアー軸７１を回動中心として回動可能に取り付けられる。シアー７は、シアースプリング（図示せず）によって図中反時計回りに図中矢示方向に付勢される。シアー７からは、トリガーバー１６側に突設されトリガーバー１６と接触するトリガーバー端部７２と、ボルト８１側に突設されボルト８１と接触するボルト端部７３の２個の自由端が突設される。
【００２２】
８は、バルブボディである。バルブボディ８は、ボルト８１の前方に設けられる。バルブボディ内には、放出バルブ８２が設置される。
９は、カバーである。カバー９は、図１４、図１５に図示されるように、カートリッジ装弾部１２２の径に合わせた略円筒状からなり内部に空洞を有する。カバー９は、バルブボディ８のカートリッジ１２１側前端部に設けられる。カバー９とアーム５は初期状態では、嵌合されていない。アーム５の後端部が、カバー９に当接可能である。
ボルト８１はボルトスプリング（図示せず）によって、前方に押圧されている。ボルト８１の押圧を受けて、バルブボディ８内に設けられる気体放出手段である放出バルブ８２が前進する。放出バルブ８２の前進により、バルブボディ８に充満した圧縮ガスが外部に流出し、カバー９内の空洞を経てカートリッジ装弾部１２２内に装填された弾丸を前方に押し出し、弾丸が発射される。
【００２３】
トリガー１からネイル６に至るまでの間の、トリガー後端部１４、リンクＡ２、リンクＢ３、ロッド４、アーム５等で、リンク機構を構成する。リンク機構は、トリガー１後方から引き回して、トリガーからカートリッジ設置位置とは反対側に一旦引き回して、その後反転させて先端をトリガー１よりも前方のカートリッジ１２１にまで至らせる。
カートリッジ１２１は、玩具銃の機種によって、トリガー１の前方又は後方に設置してよい。この実施例では、カートリッジ１２１をトリガー１の前方に設けたが、カートリッジ１２１をトリガー１の後方に設置した場合は、トリガー１からネイル６に至るまでの間の、トリガー後端部１４、リンクＡ２、リンクＢ３、ロッド４、アーム５等からなるリンクを逆方向に引き回して設置する。
【００２４】
次に、実施例の作用について説明する。
図１に図示される状態から、トリガー１を引くと、図２に図示されるネイルが６が動き出した状態に図示されるように、トリガー軸１１を回動中心としてトリガー１は反時計回りに回動する。トリガー１の反時計回りの回動により、トリガー後端部１４は上昇する。トリガー後端部１４の上昇により、トリガー突起１５は、ガイド２２に従い上昇しながら、リンクＡ２を、リンクＡ軸２１を回動中心として時計回りに回動する。
リンクＡ２の時計回りの回動により、リンクＢ３は反時計回りに回動する。
リンクＢ３の反時計回りの回動により、リンクＢ３に設けられた上方先端部３３は、ロッド４に設けられた連結孔４に嵌入されて、リンクＢ３とロッド４とは連結されているため、ロッド４は図中左側に前進する。
【００２５】
ロッド４が、図中前進すると、ロッド４の先端に位置するロッド先端Ｂ４２も前進する。アーム軸５１は、ロッド先端Ｂ４２に設けられた長穴状のガイド４４に挿入され、ロッド４とアーム５とは連結されている。そのため、ロッド４が前進するにしたがって、アーム軸５１は、長穴状のガイド４４に案内されて、移動する。アーム軸５１の移動に伴い、アーム５がアーム取り付け軸５２を回動中心として時計回りに回動する。すると、アーム５に連結されたネイル６は図２に図示されるように下降を始める。
【００２６】
図３にカートリッジ１２１を動かし始める状態が図示されるように、ネイル６が下降して、マガジンボディ１１１内に収納されるカートリッジ１２１を構成するカートリッジ装弾部１２２側面に形成されるカートリッジ突起１２３に当接する。次いで、ネイル６が下降して、上段のカートリッジ当接部６１Ａと下段のカートリッジ当接部６１Ｂと間の、凹状の嵌合部６２にカートリッジ突起１２３を嵌めて、嵌合する。
【００２７】
更に、嵌合したまま、ネイル６が下降して、カートリッジ１２１を動かし始める状態が図示される図４からカバー９を動かし始める状態を表す図５に図示されるように、ネイル６は、カートリッジ１２１のカートリッジ突起１２３を押し下げる。
ネイル６による、カートリッジ１２１のカートリッジ突起１２３の押し下げにより、カートリッジ装弾部１２２群であるカートリッジ１２１が全体として移動する。同時に、カバー９は、アーム５によって押圧され、マガジンボディ１１１内に収納されたカートリッジ１２１のカートリッジ装弾部１２２に当接する。
【００２８】
他方、トリガー１の回動により、トリガー軸１１を回動中心として、トリガー上方突起１２は前方に移動される。トリガー上方突起１２の前方移動に伴い、トリガー上方突起１２に連結するトリガーリンク１３は、図２、図３、図４、図５に順次図示されるように前方に移動される。
トリガーバー１６は、トリガーバー軸１７を回動中心として回動可能に、トリガーリンク１３に連結されるので、トリガーリンク１３の前方移動に伴い、図２、図３、図４、図５に順次図示されるように前方に移動する。
トリガーバー１６の前方移動により、図５、図６、図７、図８に図示されるように、シアー７の先端に接触して、図９に図示されるようにシアー７を銃口１０２方向である前方方向に押す。すると、シアー７はシアー軸７１を回動中心として時計回りに回転する。
【００２９】
シアー７が、時計回りに回動することにより、図１０でＰに矢示するようにシアー７とボルト８１との当接が解けて、ボルトスプリングにより前方に付勢されているボルト８１が前進を始める。ボルトは、前進してバルブボディ８内に設けられる放出バルブ８２に当接し、前進させる。
【００３０】
放出バルブ８２の前進により、バルブボディ８の気密が解け、高圧ガスがバルブボディ外へ流出を始める。ガスは、バルブボディ８前方に設置されるカバー９内空洞を経て、カートリッジ装弾部１２２内の弾丸を前方に押し出し、弾丸が発射される。
トリガー１を引くのをやめると、トリガースプリング、ロッドスプリング４３の作用により、ネイル６は基に戻り、ネイル６とカートリッジ１２１との接触は解消し、カートリッジ１２１の移動は停止する。
バルブボディ８とカートリッジ装弾部１２２との間にカバー９が存在するため、圧縮ガスの漏出を防ぎ、エネルギー効率を向上させる。
【００３１】
この発明の実施例では、回転機構の主要部品の可動域を極大化するため、主要部品について支点・作用点間の距離を力点・支点間の距離よりも長くした。これによって、トリガー１を引く距離に比して回動機構の作動距離を長くすることが可能となった。
さらに、カートリッジ１２１の回動に連動して、気室（バルブボディ８）とカートリッジ１２１（カートリッジ装弾部１２２）との間に生じる隙間を塞ぐ部材であるカバー９を設けた。カバー９は、バルブボディ８と、カートリッジ１２１との間に隙間を作らず、カートリッジ１２１（カートリッジ装弾部１２２）に密着し、ガスが漏れないようにする。カバー９により、エネルギー源である圧縮ガスが隙間から漏出するのを防ぎ、エネルギー効率の向上を図る。
【符号の説明】
【００３２】
１０１  玩具銃本体
１０２  銃口
１  トリガー
（リンク機構）
１４  トリガー後端部
２  リンクＡ
３  リンクＢ
４  ロッド
５  アーム
１１１  マガジンボディ
１２１  カートリッジ
１２２  カートリッジ装弾部
６  ネイル
６１Ａ  カートリッジ当接部
６１Ｂ  カートリッジ当接部
６２  嵌合部
７  シアー
８  バルブボディ
８１  ボルト
８２  気体放出手段（放出バルブ）
９  筒状のカバー
【図１】
2016161225.tif 000003
【図２】
2016161225.tif 000004
【図３】
2016161225.tif 000005
【図４】
2016161225.tif 000006
【図５】
2016161225.tif 000007
【図６】
2016161225.tif 000008
【図７】
2016161225.tif 000009
【図８】
2016161225.tif 000010
【図９】
2016161225.tif 000011
【図１０】
2016161225.tif 000012
【図１１】
2016161225.tif 000013
【図１２】
2016161225.tif 000014
【図１３】
2016161225.tif 000015
【図１４】
2016161225.tif 000016
【図１５】
2016161225.tif 000017